(57)【要約】【課題】複数の保護制御装置が情報処理装置にＵＳＢ接続される場合に、ユーザによる各保護制御装置の識別を容易にすることにより、メンテナンス効率を向上させることが可能な保護制御装置を提供する。【解決手段】電力系統を保護するための保護制御装置は、ＵＳＢポートと、電力系統が故障した場合に当該故障内容を表示可能なディスプレイと、保護制御装置のメンテナンスに用いられる情報処理装置と保護制御装置とがＵＳＢポートを介して接続された場合に、情報処理装置によって生成された保護制御装置の識別情報を情報処理装置から受信する識別情報受信部と、識別情報受信部により受信された識別情報をディスプレイに表示させる表示制御部とを備える。【選択図】図１
2016218616.tif 000002
【特許請求の範囲】
【請求項１】
電力系統を保護するための保護制御装置であって、
ＵＳＢ（Universal Serial Bus）ポートと、
前記電力系統が故障した場合に当該故障内容を表示可能なディスプレイと、
前記保護制御装置のメンテナンスに用いられる情報処理装置と前記保護制御装置とが前記ＵＳＢポートを介して接続された場合に、前記情報処理装置によって生成された前記保護制御装置の識別情報を前記情報処理装置から受信する識別情報受信部と、
前記識別情報受信部により受信された識別情報を前記ディスプレイに表示させる表示制御部とを備える、保護制御装置。
【請求項２】
前記情報処理装置からの要求に応じて前記保護制御装置のメンテナンス処理を実行するメンテナンス処理部と、
前記メンテナンス処理部の処理結果を前記情報処理装置に送信する処理結果送信部とをさらに備える、請求項１に記載の保護制御装置。
【請求項３】
前記メンテナンス処理は、前記保護制御装置のリレー機能を設定するための処理を含む、請求項２に記載の保護制御装置。
【請求項４】
少なくとも１つの発光部と、
前記少なくとも１つの発光部の発光動作を制御する発光制御部とをさらに備え、
前記発光制御部は、前記メンテナンス処理部によるメンテナンス処理が失敗した場合に、前記少なくとも１つの発光部を発光させる、請求項２または請求項３に記載の保護制御装置。
【請求項５】
前記ＵＳＢポートは、前記保護制御装置の動作履歴情報を出力するためのポートを含む、請求項１〜請求項４のいずれか１項に記載の保護制御装置。
【請求項６】
電力系統を保護するための少なくとも１つの保護制御装置と接続可能な情報処理装置であって、
ＵＳＢ（Universal Serial Bus）ポートと、
ディスプレイと、
前記少なくとも１つの保護制御装置の各々について、当該保護制御装置と前記情報処理装置とが前記ＵＳＢポートを介して接続された場合に、当該保護制御装置の識別情報を生成する識別情報生成部と、
前記少なくとも１つの保護制御装置の各々について、当該保護制御装置の識別情報を当該保護制御装置に送信する識別情報送信部と、
前記少なくとも１つの保護制御装置の各々の識別情報を前記ディスプレイに表示させる表示制御部とを備える、情報処理装置。
【請求項７】
電力系統を保護するための少なくとも１つの保護制御装置と、前記少なくとも１つの保護制御装置のメンテナンスに用いられる情報処理装置とを備える情報処理システムであって、
前記情報処理装置は、
第１のＵＳＢ（Universal Serial Bus）ポートと、
第１のディスプレイと、
前記少なくとも１つの保護制御装置の各々について、当該保護制御装置と前記情報処理装置とが前記第１のＵＳＢポートを介して接続された場合に、当該保護制御装置の識別情報を生成する識別情報生成部と、
前記少なくとも１つの保護制御装置の各々について、当該保護制御装置の識別情報を当該保護制御装置に送信する識別情報送信部と、
前記少なくとも１つの保護制御装置の各々の識別情報を前記第１のディスプレイに表示させる表示制御部とを含み、
前記少なくとも１つの保護制御装置の各々は、
第２のＵＳＢポートと、
前記電力系統が故障した場合に当該故障内容を表示可能な第２のディスプレイと、
前記第２のＵＳＢポートを介して前記情報処理装置から当該保護制御装置の識別情報を受信する識別情報受信部と、
前記識別情報受信部により受信された識別情報を前記第２のディスプレイに表示させる第２の表示制御部とを含む、情報処理システム。
【請求項８】
電力系統を保護するための少なくとも１つの保護制御装置と、前記少なくとも１つの保護制御装置のメンテナンスに用いられる情報処理装置とを備える情報処理システムにおける情報処理方法であって、
前記情報処理装置は、
前記少なくとも１つの保護制御装置の各々について、当該保護制御装置と前記情報処理装置とが前記情報処理装置のＵＳＢポートを介して接続された場合に、当該保護制御装置の識別情報を生成するステップと、
前記少なくとも１つの保護制御装置の各々について、当該保護制御装置の識別情報を当該保護制御装置に送信するステップと、
前記少なくとも１つの保護制御装置の各々の識別情報を前記情報処理装置の第１のディスプレイに表示するステップとを含み、
前記少なくとも１つの保護制御装置の各々が、
当該保護制御装置のＵＳＢポートを介して、前記情報処理装置から当該保護制御装置の識別情報を受信するステップと、
前記電力系統が故障した場合に当該故障内容を表示可能な第２のディスプレイに、前記受信された識別情報を表示するステップとを含む、情報処理方法。
【発明の詳細な説明】
【技術分野】
【０００１】
本開示は、ディジタル形の保護制御装置、情報処理装置、情報処理システムおよび情報処理方法に関する。
【背景技術】
【０００２】
従来、電力系統に発生する短絡、地絡等の故障を除去するために、電力系統を形成する送電線、変圧器、母線、発電機といった要素ごとに保護制御装置が設けられている。近年では、このような保護制御装置は、ディジタル形の装置が主流となっている。ディジタル形の保護制御装置は、電力系統の電流、電圧情報をＡ／Ｄ（Analog-to-digital）変換し、リレー演算を実施し、系統の故障を検出する。保護制御装置は、系統の故障を検出した場合には、遮断器に対して遮断指令（トリップ指令）を出力する。
【０００３】
ディジタル形の保護制御装置は、ソフトウェアによってこれらの処理を実施するため、装置ごとにソフトウェアの実装（書き込み）が必要となり、これらの品質管理の向上が不可欠である。典型的には、保護制御装置と情報処理装置（たとえば、パーソナルコンピュータ）とを接続して、情報処理装置側で操作することにより当該保護制御装置へのソフトウェアの書き込み（メンテナンス）が行われる。保護制御装置と情報処理装置とを接続するための規格としては、たとえば、現在広く普及しているＵＳＢ（Universal  Serial  Bus）規格が用いられる。
【０００４】
ＵＳＢに関する技術として、特開２００１−３５０７０９号公報（特許文献１）は、ＵＳＢハブが接続される情報処理装置を開示している。当該情報処理装置は、ＵＳＢハブとＵＳＢ機器との接続状況、および当該ＵＳＢ機器の詳細情報を、ユーザに分かりやすく表示することを検討している。
【先行技術文献】
【特許文献】
【０００５】
【特許文献１】特開２００１−３５０７０９号公報
【発明の概要】
【発明が解決しようとする課題】
【０００６】
ここで、ソフトウェアの書き込み等のメンテナンス作業を削減するためには、ＵＳＢハブなどを介して情報処理装置に複数の保護制御装置を接続することにより、当該書き込み作業を複数の保護制御装置に対して同時に行なうことが考えられる。この場合、複数の保護制御装置のうち書き込み失敗などのトラブルが発生した保護制御装置を、ユーザが容易に特定できるようにしておく必要がある。
【０００７】
典型的には、各保護制御装置にシリアルナンバ(たとえば、iSerialNumber)等の固有情報を事前に設定しておき、情報処理装置が各保護制御装置から固有情報を読み出すことにより各保護制御装置を識別する方法が考えられる。しかしながら、当該方法によると、各保護制御装置に固有情報を事前に設定する作業が別途必要となるという問題がある。また、固有情報は、一般的に冗長な文字列で構成(たとえば、iSerialNumberは１６進数１６桁で構成）されるため、各保護制御装置の識別が容易ではなくユーザに負担を要するという問題がある。
【０００８】
また、特許文献１には、パーソナルコンピュータに接続される複数のＵＳＢ機器の機器名称、製造元などが画面表示される例が開示されている。しかしながら、パーソナルコンピュータに接続される複数のＵＳＢ機器がすべて同一の機器（たとえば、保護制御装置）である場合には、この画面ではどのＵＳＢポートにどの保護制御装置が接続されているのかを容易に特定することはできない。すなわち、ユーザが各保護制御装置を容易に識別するのは困難である。
【０００９】
本開示は、上記のような課題に鑑みてなされたものであって、ある局面における目的は、複数の保護制御装置が情報処理装置にＵＳＢ接続される場合に、ユーザによる各保護制御装置の識別を容易にすることにより、メンテナンス効率を向上させることが可能な保護制御装置、情報処理装置、情報処理システムおよび情報処理方法を提供することである。
【課題を解決するための手段】
【００１０】
ある実施の形態に従うと、電力系統を保護するための保護制御装置が提供される。保護制御装置は、ＵＳＢポートと、電力系統が故障した場合に当該故障内容を表示可能なディスプレイと、保護制御装置のメンテナンスに用いられる情報処理装置と保護制御装置とがＵＳＢポートを介して接続された場合に、情報処理装置によって生成された保護制御装置の識別情報を情報処理装置から受信する識別情報受信部と、識別情報受信部により受信された識別情報をディスプレイに表示させる表示制御部とを備える。
【発明の効果】
【００１１】
本開示によると、複数の保護制御装置が情報処理装置にＵＳＢ接続される場合に、ユーザによる各保護制御装置の識別を容易にすることにより、メンテナンス効率を向上させることが可能となる。
【図面の簡単な説明】
【００１２】
【図１】実施の形態１に従う情報処理システムの全体構成を示す図である。
【図２】実施の形態１に従う情報処理システムの動作を説明するための図である。
【図３】実施の形態１に従う情報処理システムの動作を説明するための図である。
【図４】保護制御装置のハードウェア構成を示す図である。
【図５】通常モードにおいて保護制御装置のディスプレイに表示される内容の一例を示す図である。
【図６】情報処理装置のハードウェア構成を示すブロック図である。
【図７】実施の形態１に従う保護制御装置および情報処理装置の機能構成を説明するための図である。
【図８】顧客が所有する情報処理装置のディスプレイの表示例を示す図である。
【図９】顧客が所有する情報処理装置のディスプレイの表示例を示す図である。
【図１０】実施の形態１に従う保護制御装置の処理手順を示すフローチャートである。
【図１１】実施の形態１に従う情報処理装置の処理手順を示すフローチャートである。
【図１２】実施の形態２に従う情報処理システムの全体構成を示す図である。
【図１３】実施の形態２に従う情報処理システムの動作を説明するための図である。
【図１４】実施の形態２に従う保護制御装置および情報処理装置の機能構成を説明するための図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
［実施の形態１］
＜システムの全体構成＞
図１は、実施の形態１に従う情報処理システム１０００の全体構成を示す図である。図１を参照して、情報処理システム１０００は、保護制御装置１，２と、情報処理装置１０と、ＵＳＢハブ５０とを含む。本実施の形態では、２つの保護制御装置１，２が情報処理装置１０に接続される構成について説明する。ただし、１つまたは３つ以上の保護制御装置１，２が情報処理装置１０に接続される構成であってもよい。
【００１５】
保護制御装置１，２は、ディジタル形の保護制御装置である。保護制御装置１，２は、動作モードとして、通常モードとメンテナンスモードとを有する。通常モードは、保護制御装置が、電力系統を保護するための通常処理を実行するモードである。具体的には、通常処理は、電力系統の電流および電圧の情報（系統電気量）の入力処理、系統の故障を検出するためのリレー演算処理、遮断器への遮断指令の出力処理などを含む。
【００１６】
メンテナンスモードは、保護制御装置１，２のメンテナンスを行なうための動作モードである。メンテナンスには、保護制御装置１，２へのソフトウェアの実装（書き込み）、補助変成器などのバラつきの補正（アナログ入力調整）、整定値等の各種パラメータの設定／更新などが含まれる。典型的には、メンテナンスモードは、保護制御装置１，２の出荷前に当該装置のリレー機能を設定する場合に用いられるモードである。
【００１７】
保護制御装置１，２は、ユーザからの操作を受け付けるための各種スイッチなどの入力インターフェイス３５と、通信インターフェイスとしてのＵＳＢポート３７と、各種情報を表示するためのディスプレイ３８とを含む。図１の例では、保護制御装置１，２は、ＵＳＢポート３７、ＵＳＢケーブル５２，５４，５６、ＵＳＢハブ５０およびＵＳＢポート１４０を介して情報処理装置１０と通信可能に接続される。なお、保護制御装置１，２は、ＵＳＢハブ５０を用いずに、ＵＳＢポート３７、ＵＳＢケーブルおよびＵＳＢポート１４０を介して情報処理装置１０に接続されてもよい。
【００１８】
また、詳細は後述するが、保護制御装置１，２は、ＵＳＢポート３７を介して、情報処理装置１０によって生成された識別情報（ＩＤ）を受信し、当該受信した識別情報をディスプレイ３８に表示する。
【００１９】
情報処理装置１０は、たとえば、ノートＰＣ（Personal computer）である。ただし、情報処理装置１０は、種類を問わず任意の装置として実現可能であり、たとえば、デスクトップＰＣ、タブレット端末装置、スマートフォンなどの機器であってもよい。
【００２０】
また、詳細は後述するが、情報処理装置１０は、ＵＳＢポート１４０を介して接続された各保護制御装置１，２の識別情報を生成する。そして、情報処理装置１０は、各保護制御装置１，２の識別情報と、ステータス情報とを対応付けた一覧情報５１０を含むユーザインターフェイス画面５００をディスプレイ１３０に表示する。
【００２１】
ユーザインターフェイス画面５００は、情報処理装置１０に接続されている装置の一覧情報５１０と、一覧情報を取得（または更新）するための装置一覧取得ボタン５２０と、各保護制御装置１，２にメンテナンス処理の開始、中止をそれぞれ要求するための開始ボタン５３０、中止ボタン５４０とを含む。ステータス情報は、保護制御装置１，２のメンテナンス処理が成功（図１中の「ＯＫ」に相当）したのか、失敗（図１中の「ＥＲＲＯＲ」に相当）したのかを示す情報である。
【００２２】
＜システムの動作＞
図１〜図３を参照して、情報処理システム１０００の動作について説明する。図２，図３は、実施の形態１に従う情報処理システム１０００の動作を説明するための図である。具体的には、保護制御装置１，２をメンテナンスする場合の情報処理システムの動作について説明する。そのため、保護制御装置１，２は、メンテナンスモードで動作するものとする。なお、以下に説明する保護制御装置１，２および情報処理装置１０の各処理は、基本的には、各装置のＣＰＵ（Central  Processing  Unit）がメモリに格納されたプログラムを実行することによって実現される。
【００２３】
まず、図２を参照して、保護制御装置１，２がメンテナンスモードで起動されてから、保護制御装置１，２のディスプレイ３８に、情報処理装置１０により生成された識別情報が表示されるまでの流れについて説明する。
【００２４】
図２を参照して、保護制御装置１，２は、ユーザからメンテナンスモードで起動するための操作を受け付ける（シーケンスＳＱ４，ＳＱ６）。たとえば、ユーザは、メンテナンスモードで保護制御装置１，２を起動させるために特定のスイッチを押下した状態で電源をＯＮする。保護制御装置１，２は、メンテナンスモード起動用の操作を検出し、メンテナンスモードで起動する（シーケンスＳＱ１０，ＳＱ１２）。ユーザは、ＵＳＢハブ５０、ＵＳＢケーブル５２，５４，５６を用いて、保護制御装置１，２と情報処理装置１０とを接続する（シーケンスＳＱ１４，ＳＱ１６）。
【００２５】
次に、保護制御装置１と情報処理装置１０との間でデバイス検出処理（いわゆるプラグアンドプレイ処理）が実行され（シーケンスＳＱ１８）、保護制御装置２と情報処理装置１０との間でプラグアンドプレイ処理が実行される（シーケンスＳＱ２０）。これにより、情報処理装置１０は、自装置に接続されているＵＳＢ機器として保護制御装置１，２を検出する。
【００２６】
情報処理装置１０は、ユーザインターフェイス画面５００の装置一覧取得ボタン５２０の選択をユーザから受け付ける（シーケンスＳＱ２６）。なお、図１中のユーザインターフェイス画面５００には、すでに保護制御装置１，２の識別情報（ＩＤ）およびステータス情報を含む一覧情報５１０が表示されている画面例が示されているが、この時点では、一覧情報５１０は表示されていない。あるいは、一覧情報５１０の識別情報欄およびステータス情報欄は、空欄で表示されているものとする。
【００２７】
再び、図２を参照して、情報処理装置１０は、自装置に接続されたＵＳＢ機器である保護制御装置１，２の識別情報を生成する（シーケンスＳＱ２８）。具体的には、情報処理装置１０は、ＵＳＢポート１４０およびＵＳＢハブ５０のポートＡに接続されたＵＳＢ機器として保護制御装置１を検出し、ＵＳＢポート１４０およびＵＳＢハブ５０のポートＢに接続されたＵＳＢ機器として保護制御装置２を検出できる。そのため、情報処理装置１０は、保護制御装置１，２が固有情報（iSerialNumberなど）を有していない場合であっても、当該検出結果に基づいて、保護制御装置１および保護制御装置２の各々の識別情報を生成することができる。たとえば、情報処理装置１０は、ＵＳＢハブ５０のポートＡに接続された保護制御装置１に対応する識別情報として「Relay.001」を生成し、ＵＳＢハブ５０のポートＢに接続された保護制御装置２に対応する識別情報として「Relay.002」を生成する。つまり、情報処理装置１０は、ＵＳＢポート１４０を介して保護制御装置１，２が接続された場合に、各保護制御装置の識別情報を動的に生成することができる。
【００２８】
情報処理装置１０は、保護制御装置１，２とその識別情報とを対応付けた一覧情報５１０を表示する（シーケンスＳＱ３０）。たとえば、情報処理装置１０は、図１に示すように、ＵＳＢハブ５０のポートＡに接続されたＮｏ．「００１」のＵＳＢ機器（保護制御装置１）と、識別情報「Relay.001」とを対応付けて表示し、ＵＳＢハブ５０のポートＢに接続されたＮｏ．「００２」のＵＳＢ機器（保護制御装置２）と、識別情報「Relay.002」とを対応付けて表示する。なお、この時点では、保護制御装置１，２のステータス情報を取得していないため、ステータス欄は空欄である。
【００２９】
情報処理装置１０は、生成した識別情報「Relay.001」を保護制御装置１に通知し（シーケンスＳＱ３２）、生成した識別情報「Relay.002」を保護制御装置２に通知する（シーケンスＳＱ３４）。保護制御装置１は、情報処理装置１０から受信した識別情報「Relay.001」をディスプレイ３８に表示（図１参照）する（シーケンスＳＱ３８）。保護制御装置２は、情報処理装置１０から受信した識別情報「Relay.002」をディスプレイ３８に表示（図１参照）する（シーケンスＳＱ４０）。
【００３０】
次に、図３を参照して、情報処理装置１０から保護制御装置１，２にメンテナンス開始要求が送信されてから、情報処理装置１０のディスプレイ１３０にステータス情報が（更新）表示されるまでの流れについて説明する。
【００３１】
情報処理装置１０は、ユーザから開始ボタン５３０の選択（押下）を受け付ける（シーケンスＳＱ４２）。情報処理装置１０は、保護制御装置１，２に対してメンテナンス開始要求を送信する（シーケンスＳＱ４４，ＳＱ４６）。たとえば、メンテナンスがソフトウェアの実装である場合には、情報処理装置１０は、メンテナンス開始要求とともに、ソフトウェアの実装に必要なプログラムやデータなどを保護制御装置１，２に送信する。
【００３２】
保護制御装置１，２は、メンテナンス開始要求を情報処理装置１０から受信した場合には、メンテナンス処理を実行する（シーケンスＳＱ４８，ＳＱ５０）。具体的には、保護制御装置１，２は、メンテナンス処理として、情報処理装置１０から受信するソフトウェアの実装に必要なプログラムやデータを内部メモリに書き込んでいく。
【００３３】
ここで、たとえば、保護制御装置１におけるメンテナンス処理（ソフトウェアの書き込み処理）は失敗し、保護制御装置２におけるメンテナンス処理は成功したものとする。
【００３４】
保護制御装置１は、メンテナンス処理が失敗した旨を情報処理装置１０に通知する（シーケンスＳＱ５２）。情報処理装置１０は、失敗通知を保護制御装置１から受信すると、保護制御装置１の識別情報「Relay.001」と対応付けられたステータス欄にメンテナンス処理の失敗を示す「ＥＲＲＯＲ」を表示（図１参照）する（シーケンスＳＱ５４）。保護制御装置２は、メンテナンス処理が成功した旨を情報処理装置１０に通知する（シーケンスＳＱ５６）。情報処理装置１０は、成功通知を保護制御装置２から受信すると、保護制御装置２の識別情報「Relay.002」と対応付けられたステータス欄にメンテナンス処理の成功を示す「ＯＫ」を表示（図１参照）する（シーケンスＳＱ５８）。
【００３５】
ユーザは、ユーザインターフェイス画面５００を確認することで識別情報「Relay.001」に対応する保護制御装置１ではメンテナンス処理が失敗し、識別情報「Relay.002」に対応する保護制御装置２ではメンテナンス処理が成功したことを把握できる。また、保護制御装置１，２のディスプレイ３８には、それぞれ識別情報「Relay.001」，「Relay.002」が表示されている。そのため、ユーザは、ディスプレイ３８に識別情報「Relay.001」と表示されている保護制御装置が、メンテナンス処理に失敗した保護制御装置１であることを容易に特定できる。そして、ユーザは、保護制御装置１に対して、電源活殺、装置自体の交換、基板の交換などの処置を行なう（シーケンスＳＱ６０）。
【００３６】
上記において、情報処理装置１０は、マルチスレッド方式を用いて、各保護制御装置１，２に対する処理（たとえば、シーケンスＳＱ１８の処理およびシーケンスＳＱ２０の処理）を並行に実行してもよい。シーケンスＳＱ３２，ＳＱ３４の処理、シーケンスＳＱ４４，ＳＱ４６の処理についても同様である。
【００３７】
（システムの動作の変形例）
上記のシステム動作例では、保護制御装置１，２は、ユーザからメンテナンスモードで起動するための操作を受け付けた場合に、メンテナンスモードで起動する構成について説明したが、当該構成に限られない。たとえば、保護制御装置１，２は、ユーザから電源のＯＮ操作を受け付けた場合に、ＲＯＭ（Read  Only  Memory）等の内部メモリに予め記憶された情報に基づいて自動的にメンテナンスモードで起動する構成であってもよい。
【００３８】
具体的には、保護制御装置１，２は、ＲＯＭに予め格納されたメンテナンスモードの切り替えフラグが有効の場合にメンテナンスモードで起動する。保護制御装置１，２は、ＣＰＵやメモリなどが搭載された基板で構成されている。そして、保護制御装置１，２には、製造時においてハードウェアの健全性確認を目的としたテストプログラムが事前に書き込まれている。たとえば、テストプログラムに従って行われるテスト処理が正常完了した場合に、メンテナンスモードの設定フラグを有効にしてＲＯＭに書き込んでおく。そうすると、ユーザは、製品用のソフトウェアに書き換えるためのメンテナンス処理を行なう場合に、電源のＯＮ操作だけで、保護制御装置１，２をメンテナンスモードで起動させることできる。保護制御装置１，２は、メンテナンス処理が成功した場合には、メンテナンスモードの設定フラグを無効にして書き込む。
【００３９】
これにより、ユーザは、特定のスイッチを押下した状態で電源をＯＮするといった煩雑な操作を行なうことなく、電源のＯＮ操作だけで保護制御装置１，２をメンテナンスモードで起動させることができる。そのため、メンテナンス作業時間を短縮できる。
【００４０】
＜ハードウェア構成＞
（保護制御装置）
図４は、保護制御装置１のハードウェア構成を示す図である。図４を参照して、保護制御装置１は、補助変成器１５と、ＡＤ（Analog  to  Digital）変換部２０と、演算処理部３０とを含む。保護制御装置２のハードウェア構成は、保護制御装置１のハードウェア構成と同じである。
【００４１】
補助変成器１５は、計器用変流器（図示しない）および計器用変圧器（図示しない）からの系統電気量を取り込み、より小さな電気量に変換して出力する。
【００４２】
ＡＤ変換部２０は、補助変成器１５から出力される系統電気量（アナログ量）を取り込んでディジタルデータに変換する。具体的には、ＡＤ変換部２０は、フィルタ２１，２３と、サンプルホールド（ＳＨ）回路２４，２５と、マルチプレクサ２６と、ＡＤ変換器２７とを含む。
【００４３】
フィルタ２１，２３は、アナログフィルタであり、補助変成器１５から出力される電流および電圧の波形信号から高周波のノイズ成分を除去する。フィルタ２１，２３の出力は、ＳＨ回路２４，２５にそれぞれ入力される。
【００４４】
ＳＨ回路２４，２５は、それぞれフィルタ２１，２３から出力される電流および電圧の波形信号を予め定められたサンプリング周期でサンプリングする。マルチプレクサ２６は、演算処理部３０から入力されるタイミング信号に基づいて、ＳＨ回路２４，２５から入力される波形信号を時系列で順次切り替えてＡＤ変換器２７に入力する。
【００４５】
ＡＤ変換器２７は、マルチプレクサ２６から入力される波形信号をアナログデータからディジタルデータに変換する。ＡＤ変換器２７は、ディジタル変換した波形信号（ディジタルデータ）を演算処理部３０へ出力する。
【００４６】
演算処理部３０は、マイクロコンピュータを主体として構成される。具体的には、演算処理部３０は、ＣＰＵ（Central  Processing  Unit）３２と、ＲＯＭ３３と、ＲＡＭ３４と、入力インターフェイス（Ｉ／Ｆ）３５と、ＤＯ（ディジタル出力）回路３６と、ＵＳＢポート３７と、ディスプレイ３８とを含む。これらは、バス３１で結合されている。
【００４７】
ＣＰＵ３２は、制御部として、予めＲＯＭ３３に格納されたプログラムを読み出して実行することによって、保護制御装置１の動作を制御する。ＣＰＵ３２は、たとえば、マイクロプロセッサである。なお、当該ハードウェアは、ＣＰＵ以外のＦＰＧＡ（Field  Programmable  Gate Array）、ＡＳＩＣ（Application  Specific  Integrated  Circuit）およびその他の演算機能を有する回路などであってもよい。
【００４８】
ＣＰＵ３２は、保護制御装置１がメンテナンスモードで動作している場合には、たとえば、情報処理装置１０により生成されたＩＤをディスプレイ３８に表示する。一方、ＣＰＵ３２は、保護制御装置１が通常モードで動作している場合には、他の各種情報が表示される。
【００４９】
図５は、通常モードにおいて保護制御装置１，２のディスプレイに表示される内容の一例を示す図である。ディスプレイ３８には、電力系統が故障した場合には、その故障内容として、保護制御装置１，２が動作した発生時刻（図５（ａ））、動作したリレー要素の名称（図５（ｂ））が表示される。ユーザは、保護制御装置１，２が動作した発生時刻に基づいて電力系統の故障発生時刻を特定でき、動作したリレー要素の名称に基づいてどのような故障（過電流、短絡、地絡差電流など）が発生したのかを特定できる。図５の例では、２０＊＊年１月１５日の１１時１０分３０秒に、過電流リレーが動作したことを示している。
【００５０】
なお、通常モードにおいて保護制御装置１，２のディスプレイ３８には、電力系統の故障時の故障内容以外にも様々な情報が表示される。たとえば、現在時刻、装置の点検回数、装置の異常内容（エラーコード、不良部位）、ＩＰアドレス、リレーの整定値、入力電気量などが表示される。
【００５１】
すなわち、ディスプレイ３８は、メンテナンスモード時に保護制御装置１の識別情報を表示するために専用に設けられたディスプレイではなく、通常モード時に故障内容等も表示することが可能なディスプレイである。
【００５２】
（情報処理装置）
図６は、情報処理装置１０のハードウェア構成を示すブロック図である。図６を参照して、情報処理装置１０は、ＣＰＵ１００と、メモリ１１０と、入力装置１２０と、ディスプレイ１３０と、ＵＳＢポート１４０と、メモリインターフェイス（Ｉ／Ｆ）１５０とを含む。
【００５３】
ＣＰＵ１００は、メモリ１１０に記憶されたプログラムを読み出して実行することで、情報処理装置１０の各部の動作を制御する。メモリ１１０は、ＲＡＭ、ＲＯＭ、ハードディスクなどによって実現される。メモリ１１０は、ＣＰＵ１００によって実行されるプログラム、またはＣＰＵ１００によって用いられるデータなどを記憶する。
【００５４】
入力装置１２０は、情報処理装置１０に対する操作入力を受け付ける。入力装置１２０は、たとえば、キーボード、ボタン、マウスなどによって実現される。また、入力装置１２０は、タッチパネルとして実現されていてもよい。ディスプレイ１３０は、ＣＰＵ１００からの指示に基づいて各種情報を表示する。たとえば、ディスプレイ１３０は、ユーザインターフェイス画面５００を表示する。
【００５５】
ＵＳＢポート１４０は、情報処理装置１０と保護制御装置１，２との間で各種データを送受信する。メモリインターフェイス（Ｉ／Ｆ）１５０は、外部の記録媒体１５２からデータを読み出したり、記録媒体１５２にデータを書き込んだりする。記録媒体１５２としては、ＣＤ（Compact  Disc）、ＤＶＤ（Digital  Versatile  Disk）、ＢＤ（Blu-ray（登録商標）  Disc）、ＵＳＢメモリなどの、不揮発的にプログラムを格納する媒体が挙げられる。
【００５６】
＜機能構成＞
図７は、実施の形態１に従う保護制御装置１および情報処理装置１０の機能構成を説明するための図である。図７を参照して、保護制御装置１は、モード設定部２００と、識別情報受信部２０２と、表示制御部２０４と、メンテナンス処理部２０６と、メンテナンス結果送信部２０８とを含む。これらの各機能は、ＣＰＵ３２がＲＯＭ３３に格納されたプログラムを実行することによって実現される。これらの機能の一部または全部はハードウェアで構成されていてもよい。保護制御装置２の機能構成は、保護制御装置１の機能構成と同じである。
【００５７】
情報処理装置１０は、検出部３０２と、識別情報生成部３０４と、表示制御部３０６と、識別情報送信部３０８と、メンテナンス要求部３１０と、メンテナンス結果受信部３１２とを含む。これらの各機能は、ＣＰＵ１００がメモリ１１０に格納されたプログラムを実行することによって実現される。なお、これらの機能の一部または全部はハードウェアで構成されていてもよい。
【００５８】
まず、情報処理装置１０の機能構成について説明する。
検出部３０２は、プラグアンドプレイによりＵＳＢポート１４０を介して自装置に接続された少なくとも１つの保護制御装置を検出する。たとえば、検出部３０２は、ＵＳＢポート１４０およびＵＳＢハブ５０のポートＡに接続されたＵＳＢ機器として保護制御装置１を検出する。検出部３０２は、検出結果を識別情報生成部３０４に送出する。なお、検出部３０２は、識別情報生成部３０４の要求に応じて、検出結果を送出してもよい。
【００５９】
識別情報生成部３０４は、情報処理装置１０に接続された装置ごとの識別情報を生成する。具体的には、識別情報生成部３０４は、少なくとも１つの保護制御装置の各々について、当該保護制御装置と情報処理装置１０とがＵＳＢポート１４０を介して接続された場合に、当該保護制御装置の識別情報を生成する。たとえば、識別情報生成部３０４は、検出部３０２により検出された保護制御装置１の識別情報を生成する。
【００６０】
識別情報送信部３０８は、ＵＳＢポート１４０を介して、少なくとも１つの保護制御装置の各々について、当該保護制御装置の識別情報を当該保護制御装置に送信する。具体的には、識別情報送信部３０８は、ＵＳＢポート１４０を介して、保護制御装置１の識別情報を保護制御装置１に送信する。
【００６１】
表示制御部３０６は、少なくとも１つの保護制御装置の各々の識別情報をディスプレイ１３０に表示させる。また、表示制御部３０６は、後述するメンテナンス結果受信部３１２により受信されたメンテナンス処理結果をディスプレイ１３０に表示させてもよい。
【００６２】
メンテナンス要求部３１０は、ユーザからの指示を受け付けた場合に、ＵＳＢポート１４０を介して、メンテナンス処理の開始を少なくとも１つの保護制御装置に要求する。メンテナンス結果受信部３１２は、ＵＳＢポート１４０を介して、少なくとも１つの保護制御装置から送信されたメンテナンス処理結果を受信する。
【００６３】
次に、保護制御装置１の機能構成について説明する。
モード設定部２００は、保護制御装置１の動作モードを通常モードまたはメンテナンスモードに設定する。具体的には、モード設定部２００は、ユーザから予め定められた操作を受け付けた場合に、保護制御装置１の動作モードをメンテナンスモードに設定する。
【００６４】
また、モード設定部２００は、ＲＯＭ３３に格納された予め定められた情報に基づいて、当該動作モードをメンテナンスモードに設定してもよい。たとえば、モード設定部２００は、メンテナンスモードの設定フラグが有効である場合に、当該動作モードをメンテナンスモードに設定する。なお、識別情報受信部２０２、メンテナンス処理部２０６、およびメンテナンス結果送信部２０８は、モード設定部２００により保護制御装置１の動作モードがメンテナンスモードに設定されている場合の機能構成である。
【００６５】
識別情報受信部２０２は、情報処理装置１０と保護制御装置１とがＵＳＢポート３７を介して接続された場合に、情報処理装置１０（識別情報生成部３０４）によって生成された保護制御装置１の識別情報を情報処理装置１０から受信する。
【００６６】
表示制御部２０４は、各種情報をディスプレイ３８に表示させる。たとえば、表示制御部２０４は、メンテナンスモード時において、識別情報受信部２０２により受信された識別情報をディスプレイ３８に表示させる。
【００６７】
メンテナンス処理部２０６は、情報処理装置１０から受信したメンテナンス開始要求に応じて保護制御装置１のメンテナンス処理を実行する。メンテナンス処理は、保護制御装置１のリレー機能を設定するためのソフトウェア（たとえば、過電流継電器用のリレー演算プログラム）の書き込み処理を含む。当該書き込み処理により、保護制御装置１は、特定の保護継電器（たとえば、過電流継電器、電圧継電器、比率差動継電器など）としての機能を有するようになる。
【００６８】
メンテナンス結果送信部２０８は、メンテナンス処理部２０６の処理結果を情報処理装置１０に送信する。具体的には、メンテナンス結果送信部２０８は、メンテナンス処理部２０６によるメンテナンス処理の成功または失敗を示す情報を情報処理装置１０に送信する。なお、メンテナンス結果送信部２０８は、当該処理結果が成功した場合にのみ、当該処理結果が成功であることを示す情報を情報処理装置１０に送信してもよい。
【００６９】
＜保護制御装置のＵＳＢポートの他の利用例＞
上述したように、保護制御装置１，２のＵＳＢポート３７は、保護制御装置１，２のメンテナンス時には、情報処理装置１０と接続するためのポートとして用いられる。しかしながら、ＵＳＢポート３７は、情報処理装置１０との接続専用に利用されるポートではなく、他の利用方法もある。
【００７０】
たとえば、ＵＳＢポート３７は、保護制御装置１が出荷された後、顧客側でも利用される。顧客は、保護制御装置１のＵＳＢポート３７を用いて、自身が所有する情報処理装置と保護制御装置１とを接続する。顧客は、予め定められたアプリケーションを用いて、保護制御装置１から取得される情報を情報処理装置のディスプレイに表示できる。
【００７１】
図８および図９は、顧客が所有する情報処理装置のディスプレイの表示例を示す図である。図８を参照して、情報処理装置は、保護制御装置１の動作履歴情報を取得してディスプレイに表示する。図８の例では、距離リレーが、２０１１年４月８日の１２時２６分４１秒に動作したことが示されている。
【００７２】
他の例として、図９を参照して、情報処理装置は、保護制御装置１に含まれるリレー要素の整定値を設定する画面をディスプレイに表示する。具体的には、ディスプレイには、新整定値入力欄、整定項目、整定範囲、整定ステップなどが表示される。
【００７３】
さらに、他の例として、情報処理装置は、電力系統の入力電気量を保護制御装置１から取得して、入力電気量の波形や解析結果（ベクトル図、対称分ベクトル図、インピーダンス軌跡図、高調波含有率スペクトル図）などをディスプレイに表示してもよい。
【００７４】
すなわち、ＵＳＢポート３７は、保護制御装置１のメンテナンスに用いられる情報処理装置１０と接続するための専用ポートではなく、保護制御装置１の動作履歴情報を出力したり、保護制御装置１が取得した電力系統の電気量情報を出力したり、保護制御装置１の整定値の設定入力を受け付けたりするためのポートとしても用いられる。
【００７５】
＜処理手順＞
（保護制御装置）
図１０は、実施の形態１に従う保護制御装置１の処理手順を示すフローチャートである。ここでは、保護制御装置１がメンテナンスモードで動作する場合の処理手順について説明する。
【００７６】
図１０を参照して、演算処理部３０（ＣＰＵ３２）は、保護制御装置１をメンテナンスモードで起動するための起動条件が成立したか否かを判断する（ステップＳ１０）。具体的には、ＣＰＵ３２は、特定のスイッチを押下した状態で電源ＯＮ操作を受け付けた場合には、当該起動条件が成立したと判断する。または、ＣＰＵ３２は、電源ＯＮ操作を受け付けたときに、ＲＯＭ３３に記憶されているメンテナンスモード設定フラグが有効である場合には、当該起動条件が成立したと判断する。
【００７７】
当該起動条件が成立しなかった場合には（ステップＳ１０においてＮＯ）、ＣＰＵ３２は処理を終了する。当該起動条件が成立した場合には（ステップＳ１０においてＹＥＳ）、ＣＰＵ３２はメンテナンスモードで保護制御装置１を起動する（ステップＳ１２）。
【００７８】
次に、ＣＰＵ３２は、ＵＳＢポート３７を介して、保護制御装置１と情報処理装置１０とが接続されたか否かを判断する（ステップＳ１４）。情報処理装置１０と接続された場合には（ステップＳ１４においてＮＯ）、ＣＰＵ３２はステップＳ１４の処理を繰り返す。情報処理装置１０と接続された場合には（ステップＳ１４においてＹＥＳ）、ＣＰＵ３２は、情報処理装置１０から保護制御装置１の識別情報を受信したか否かを判断する（ステップＳ１６）。当該識別情報を受信していない場合には（ステップＳ１６においてＮＯ）、ＣＰＵ３２はステップＳ１６の処理を繰り返す。当該識別情報を受信した場合には（ステップＳ１６においてＹＥＳ）、ＣＰＵ３２は受信した識別情報をディスプレイ３８に表示する（ステップＳ１８）。
【００７９】
ＣＰＵ３２は、情報処理装置１０からメンテナンス処理の開始要求を受信したか否かを判断する（ステップＳ２０）。当該開始要求を受信していない場合には（ステップＳ２０においてＮＯ）、ＣＰＵ３２はステップＳ２０の処理を繰り返す。当該開始要求を受信した場合には（ステップＳ２０においてＹＥＳ）、ＣＰＵ３２は、メンテナンス処理を開始する（ステップＳ２２）。そして、ＣＰＵ３２は、メンテナンス処理結果（成功または失敗）を情報処理装置１０に通知して（ステップＳ２４）、処理を終了する。
【００８０】
（情報処理装置）
図１１は、実施の形態１に従う情報処理装置１０の処理手順を示すフローチャートである。
【００８１】
図１１を参照して、情報処理装置１０のＣＰＵ１００は、ＵＳＢポート１４０を介して、自装置に接続された少なくとも１つの保護制御装置を検出する（ステップＳ５０）。なお、ここでは、情報処理装置１０に接続された装置として、保護制御装置１，２が検出されたものとする。
【００８２】
ＣＰＵ１００は、装置一覧取得操作を受け付けたか否か判断する（ステップＳ５２）。当該操作を受け付けていない場合には（ステップＳ５２においてＮＯ）、ＣＰＵ１００はステップＳ５２の処理を繰り返す。当該操作を受け付けた場合には（ステップＳ５２においてＹＥＳ）、ＣＰＵ１００は、保護制御装置１，２の各々の識別情報を生成する（ステップＳ５４）。具体的には、ＣＰＵ１００は、保護制御装置１の識別情報「Relay.001」と、保護制御装置２の識別情報「Relay.002」とを生成する。
【００８３】
ＣＰＵ１００は、ディスプレイ１３０に保護制御装置１，２の各々の識別情報を表示する（ステップＳ５６）。ＣＰＵ１００は、ＵＳＢポート１４０を介して、保護制御装置１に識別情報「Relay.001」を通知し、保護制御装置２に識別情報「Relay.002」を通知する（ステップＳ５８）。ＣＰＵ１００は、入力装置１２０を介して、メンテナンス処理の開始要求操作を受け付けたか否かを判断する（ステップＳ６０）。当該開始要求操作を受け付けていない場合には（ステップＳ６０においてＮＯ）、ＣＰＵ１００はステップＳ６０の処理を繰り返す。当該開始要求操作を受け付けた場合には（ステップＳ６０においてＹＥＳ）、ＣＰＵ１００は、メンテナンス処理の開始要求を保護制御装置１，２に送信する（ステップＳ６２）。
【００８４】
ＣＰＵ１００は、ＵＳＢポート１４０を介して、保護制御装置１，２からメンテナンス処理結果を受信したか否かを判断する（ステップＳ６４）。メンテナンス処理結果を受信していない場合には（ステップＳ６４においてＮＯ）、ＣＰＵ１００はステップＳ６４の処理を繰り返す。メンテナンス処理結果を受信した場合には（ステップＳ６４においてＹＥＳ）、ＣＰＵ１００は、受信したメンテナンス処理結果に基づいて、保護制御装置１，２のステータス情報を更新表示して（ステップＳ６６）、処理を終了する。
【００８５】
＜利点＞
実施の形態１によると、ユーザは、情報処理装置にＵＳＢ接続された各保護制御装置を容易に識別することができるため、保護制御装置のメンテナンス効率が向上する。また、保護制御装置に対して事前にiSerialNumberなどの固有情報を設定する必要もないため、作業時間が軽減される。さらに、情報処理装置によって動的に保護制御装置の識別情報が新たに生成される。そのため、識別情報として、冗長な文字列などで表現されるものではなく、ユーザにとって分かりやすい文字列などを用いることができる。
【００８６】
［実施の形態２］
実施の形態１では、保護制御装置１，２は、情報処理装置１０から受信した識別情報をディスプレイ３８に表示する構成について説明した。実施の形態２では、保護制御装置は、情報処理装置からの通知に基づいてＬＥＤを発光表示させる構成について説明する。
【００８７】
＜システムの全体構成＞
図１２は、実施の形態２に従う情報処理システム１０００Ａの全体構成を示す図である。図１を参照して、情報処理システム１０００Ａは、保護制御装置１Ａ，２Ａと、情報処理装置１０Ａと、ＵＳＢハブ５０とを含む。なお、情報処理システム１０００Ａの構成のうち、情報処理システム１０００の構成と同一の部分についてはその詳細な説明は繰り返さない。
【００８８】
保護制御装置１Ａ，２Ａは、入力インターフェイス３５と、ＵＳＢポート３７と、複数のＬＥＤから構成されるＬＥＤ群３９とを含む。すなわち、保護制御装置１Ａ，２Ａのハードウェア構成は、保護制御装置１，２のハードウェア構成のディスプレイ３８をＬＥＤ群３９に置き換えたものに相当する。詳細は後述するが、保護制御装置１Ａ，２Ａは、ＵＳＢポート３７を介して、情報処理装置１０ＡからＬＥＤ群３９の発光表示要求を受信した場合に、ＬＥＤ群３９の少なくとも１つのＬＥＤを点滅させる。
【００８９】
情報処理装置１０Ａは、ユーザインターフェイス画面６００をディスプレイ１３０に表示する。ユーザインターフェイス画面６００は、一覧情報６１０と、当該一覧情報６１０を取得するための装置一覧取得ボタン５２０と、開始ボタン５３０、中止ボタン５４０とを含む。一覧情報６１０は、ＵＳＢポート１４０を介して接続された保護制御装置１，２の識別情報（ＩＤ）と、ステータス情報と、ＬＥＤ表示要求ボタンとが対応付けられた情報である。すなわち、一覧情報６１０は、図１中の一覧情報５１０にＬＥＤ表示要求ボタンを追加したものである。
【００９０】
＜システムの動作＞
情報処理システム１０００Ａにおいて、保護制御装置１Ａ，２Ａがメンテナンスモードの起動操作を受け付けてから、情報処理装置１０Ａが保護制御装置１Ａ，２Ａの識別情報を表示するまでの処理の流れは、図２の処理と同じである。具体的には、情報処理システム１０００Ａは、図２中のシーケンスＳＱ４〜ＳＱ３０までの処理を実行した後に、図１４で示す処理を実行する。なお、情報処理システム１０００Ａでは、図２中のシーケンスＳＱ３２，ＳＱ３４の処理（ＩＤ通知処理）およびシーケンスＳＱ３８，ＳＱ４０の処理（ＩＤ表示処理）は実行されない。
【００９１】
図１３は、実施の形態２に従う情報処理システム１０００Ａの動作を説明するための図である。図１３を参照して、シーケンスＳＱ４２〜ＳＱ５８の処理は、図２中の処理と同じであるため、その詳細な説明は繰り返さない。
【００９２】
情報処理装置１０Ａは、メンテナンス処理が失敗した保護制御装置１Ａに対するＬＥＤ表示要求ボタン６１２の選択を受け付ける（シーケンスＳＱ８０）。情報処理装置１０Ａは、保護制御装置１Ａに対してＬＥＤ表示要求を送信する（シーケンスＳＱ８２）。保護制御装置１Ａは、ＬＥＤ表示要求を受信して、ＬＥＤ群３９のうちのＬＥＤ０１を点滅させる（シーケンスＳＱ８４）。そして、ユーザは、ＬＥＤ０１が点滅している保護制御装置１Ａを特定して、電源活殺、装置自体の交換、基板の交換などの処置を行なう（シーケンスＳＱ８６）。
【００９３】
上記では、保護制御装置１Ａは、情報処理装置１０ＡからのＬＥＤ表示要求を受信した場合に、ＬＥＤ０１を点滅させたが、当該構成に限られない。たとえば、保護制御装置１Ａは、メンテナンス処理が失敗したと判断した場合には、ＬＥＤ０１を点滅させる構成であってもよい。
【００９４】
なお、ＬＥＤ群３９の発光態様については点滅に限られない。たとえば、保護制御装置１Ａは、ＬＥＤ群３９のＬＥＤ０１を点灯させてもよいし、ＬＥＤ群３９のうちの複数のＬＥＤを点灯（点滅）させてもよい。また、情報処理装置１０Ａは、識別情報に応じた発光態様で発光させるように保護制御装置に要求してもよい。たとえば、情報処理装置１０Ａは、識別情報「Relay.001」の保護制御装置１Ａであれば、ＬＥＤ０１を点灯させるように要求し、識別情報「Relay.002」の保護制御装置２Ａであれば、ＬＥＤ０２を点灯させるように要求してもよい。すなわち、ユーザにとって、メンテナンス処理に失敗した保護制御装置の特定が容易な発光態様であればどのような発光態様であってもよい。
【００９５】
＜機能構成＞
図１４は、実施の形態２に従う保護制御装置１Ａおよび情報処理装置１０Ａの機能構成を説明するための図である。図１４を参照して、保護制御装置１Ａは、モード設定部２００Ａと、メンテナンス処理部２０６Ａと、メンテナンス結果送信部２０８Ａと、発光制御部２１０Ａとを含む。保護制御装置２Ａの機能構成は、保護制御装置１Ａの機能構成と同じである。
【００９６】
情報処理装置１０Ａは、検出部３０２Ａと、識別情報生成部３０４Ａと、表示制御部３０６Ａと、メンテナンス要求部３１０Ａと、メンテナンス結果受信部３１２Ａと、ＬＥＤ表示要求部３１４Ａとを含む。検出部３０２Ａと、識別情報生成部３０４Ａ、表示制御部３０６Ａ、メンテナンス要求部３１０Ａおよびメンテナンス結果受信部３１２Ａは、それぞれ、図７中の検出部３０２、識別情報生成部３０４、表示制御部３０６、メンテナンス要求部３１０およびメンテナンス結果受信部３１２と同じである。
【００９７】
情報処理装置１０ＡのＬＥＤ表示要求部３１４Ａは、ユーザからの指示に基づいて、ＵＳＢポート１４０を介して、少なくとも１つの保護制御装置に対してＬＥＤ表示要求を送信する。なお、ＬＥＤ表示要求部３１４Ａは、メンテナンス結果受信部３１２Ａにより受信されたメンテナンス処理結果が失敗であった場合に、当該失敗した保護制御装置に対してＬＥＤ表示要求を送信してもよい。
【００９８】
保護制御装置１Ａの発光制御部２１０Ａは、ＵＳＢポート３７を介してＬＥＤ表示要求を受信した場合に、ＬＥＤ群３９のうちの少なくとも１つのＬＥＤを発光させる。なお、発光制御部２１０Ａは、メンテナンス処理部２０６Ａによるメンテナンス処理が失敗した場合に、ＬＥＤ群３９のうちの少なくとも１つのＬＥＤを発光させてもよい。
【００９９】
＜利点＞
実施の形態２によると、ユーザは、メンテナンス処理に失敗した保護制御装置を容易に特定することができる。また、保護制御装置は、ＬＥＤを有していればよく、文字列を表示するためのディスプレイを有していなくてもよい。さらに、情報処理装置は、識別情報を保護制御装置に送信する必要がないため、処理負荷が軽減される。
【０１００】
［その他の実施の形態］
上述した実施の形態では、情報処理装置は、保護制御装置から送信されるメンテナンス処理結果に基づいて、保護制御装置のメンテナンス処理が成功したのか、失敗したのかを判断する構成について説明したが、当該構成に限られない。たとえば、情報処理装置は、メンテナンス要求を送信してから、予め定められた時間が経過しても保護制御装置からのメンテナンス処理結果を受信できない場合には、当該保護制御装置のメンテナンス処理が失敗したと判断してもよい。この場合、情報処理装置は、メンテナンス処理の失敗通知を受信したことによるエラーなのか、またはメンテナンス処理結果の応答がないことによるエラーなのかを識別できるようにステータス情報を表示してもよい。
【０１０１】
上述した実施の形態において、実施の形態１では保護制御装置がディスプレイを有し、実施の形態２では保護制御装置がＬＥＤ群を有する構成について説明したが、保護制御装置がディスプレイおよびＬＥＤ群の両方を有する構成であってもよい。この場合、保護制御装置は、識別情報をディスプレイに表示することができるとともに、メンテナンス処理が失敗した場合にはＬＥＤを発光させることもできる。そのため、ユーザは、メンテナンス処理に失敗した保護制御装置をより容易に特定できる。
【０１０２】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１０３】
また、上述した実施の形態において、その他の実施の形態で説明した処理や構成を適宜採用して実施する場合であってもよい。
【０１０４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０５】
１，１Ａ，２，２Ａ  保護制御装置、１０，１０Ａ  情報処理装置、１５  補助変成器、２０  ＡＤ変換部、２１，２３  フィルタ、２４，２５  ＳＨ回路、２６  マルチプレクサ、２７  ＡＤ変換器、３０  演算処理部、３１  バス、３２，１００  ＣＰＵ、３３  ＲＯＭ、３４  ＲＡＭ、３５  入力インターフェイス、３７，１４０  ＵＳＢポート、３８，１３０  ディスプレイ、３９  ＬＥＤ群、５０  ＵＳＢハブ、５２，５４，５６  ＵＳＢケーブル、１１０  メモリ、１２０  入力装置、１５２  記録媒体、２００，２００Ａ  モード設定部、２０２  識別情報受信部、２０４，３０６，３０６Ａ  表示制御部、２０６，２０６Ａ  メンテナンス処理部、２０８，２０８Ａ  メンテナンス結果送信部、２１０Ａ  発光制御部、３０２，３０２Ａ  検出部、３０４，３０４Ａ  識別情報生成部、３０８  識別情報送信部、３１０，３１０Ａ  メンテナンス要求部、３１２，３１２Ａ  メンテナンス結果受信部、３１４Ａ  表示要求部、５００，６００  ユーザインターフェイス画面、５１０，６１０  一覧情報、５２０  装置一覧取得ボタン、５３０  開始ボタン、５４０  中止ボタン、６１２  表示要求ボタン、１０００，１０００Ａ  情報処理システム。
【図１】
2016218616.tif 000003
【図２】
2016218616.tif 000004
【図３】
2016218616.tif 000005
【図４】
2016218616.tif 000006
【図５】
2016218616.tif 000007
【図６】
2016218616.tif 000008
【図７】
2016218616.tif 000009
【図８】
2016218616.tif 000010
【図９】
2016218616.tif 000011
【図１２】
2016218616.tif 000012
【図１３】
2016218616.tif 000013
【図１４】
2016218616.tif 000014
【図１０】
2016218616.tif 000015
【図１１】
2016218616.tif 000016